(57)【要約】【課題】  ディスクを載置して搬入・搬出する為のトレイを備えたディスク記録再生装置であって、ディスク交換位置にあるトレイを引っ張った場合を考慮してトレイの外れ及び破損を防止出来るディスク記録再生装置の提供。【解決手段】  トレイ１の底面にはラックローディング１３のカムロッドボス８が遊嵌する概略Ｌ形のカム溝５を有し、該カム溝５の縦カム溝１０の後方部には概略台形の湾曲部１４を形成している。湾曲部中央１５においてオープンスイッチがＯＮとなる領域を設けてオープン状態に成ったところでトレイ１の駆動用モータ９が停止し、該概略台形湾曲部１４の後方にはオープンスイッチがＯＦＦになる領域を設けて上記モータ９を起動してトレイ１を引き戻す。【選択図】    図３
2005339703.tif 000002
【特許請求の範囲】
【請求項１】
ディスクを載置して搬入・搬出する為のトレイを備えたディスク記録再生装置において、該トレイの底面にはトレイの搬送方向に直交する方向へ摺動可能なラックローディングから起立するカムロッドボスが遊嵌する概略Ｌ形のカム溝を形成し、トレイの搬送方向へ延設した該カム溝の縦カム溝後方端近傍には概略台形に湾曲した湾曲部を形成したことを特徴とするトレイを備えたディスク記録再生装置。
【請求項２】
上記ラックローディングの近傍には摺動動作に連動して切り替わるスイッチを備え、概略台形状の湾曲部中央においてスイッチがＯＮとなる領域を設けてディスク交換位置に達したところでトレイの駆動用モータが停止し、該概略台形湾曲部の後方にはスイッチがＯＦＦになる領域を設けて上記モータを起動可能にした請求項１記載のトレイを備えたディスク記録再生装置。
【請求項３】
ディスク交換位置にあるトレイが故意に引き出されるときに、該トレイを搬入方向へ引き戻すようにモータの動力を断続的に負荷するようにした請求項２記載のトレイを備えたディスク記録再生装置。
【発明の詳細な説明】
【技術分野】
【０００１】
本発明はトレイをオープン状態から引っ張る場合に、クローズ動作を行うように制御するディスク記録再生装置に関するものである。
【背景技術】
【０００２】
ＤＶＤなどのディスクにデータを記録する場合、又記録されているデータを再生する場合、ディスク記録再生装置が使用されるが、ターンテーブルにディスクを載置して高速回転する。そしてディスク上の情報トラックに情報読み取り用ビームが追従するようにトラッキング制御を行うと共に、情報トラックに正確にビームスポットを形成するようにフォーカス制御を行い、確実に情報の記録・再生が行われる。
【０００３】
ところで、ディスクをターンテーブルに載置するには、スライド開閉するトレイが使用される場合が多く、キャビネットのフロントパネルからスライドして突出するトレイにディスクを載せた状態で、該トレイが後退して上記ターンテーブルに載置される。トレイはフロントパネルに形成した開口から出入りすることが出来る。
【０００４】
該トレイはディスク装置に設けているガイドレールに沿ってスライドすることが出来るように、モータで回転する駆動ピニオンがトレイのラックと噛み合い、ディスクをセットしたり、逆に取外す場合には該トレイが押出されてオープン状態となり、セットされたディスクはトレイが閉じることでディスク装置の内部に収容される。そして、ディスクを再生する時にはトラバースユニットが上昇してトレイに載っているディスクを押上げ、ターンテーブルにクランプした状態でスピンドルモーターが高速回転する。
【０００５】
図５は従来の一般的なディスク装置を示していて、(ａ)はトレイ１が引出されたオープン状態の場合、(ｂ)はトレイ１が後退して閉じた場合である。ところで、ディスクをセットする場合、トレイ１はオープン状態になるように大きく突出する。すなわち、ディスクを所定の位置にセット出来るようにトレイ中央には円形凹部の段差２及び穴３が形成されていて、少なくとも円形凹部が装置本体のフロントパネルから外部へ露出するまでトレイは突出する。
【０００６】
図６はトレイ１の具体例であって底面側を示した場合で、一方側にはラック４が設けられ、他方側には概略Ｌ形をしたカム溝５を有している。そしてトレイ１の後方側でカム溝５の付近にツメ６が設けられ、オープン状態のトレイ１がフロント部から外れないようにフロント部開口側部に形成しているストッパーに係止することが出来る。ただし、無理にトレイ１を引っ張るならば該ツメ６が損傷してしまうこともある。
【０００７】
ところで、従来のトレイ１はモータにて回転駆動するピニオンが上記ラック４と噛合うことで、該トレイ１はスライドして前進・後退動するが、トレイ１がオープン動作完了時には、オープンスイッチがＯＮと成って、オープン動作が停止する。オープン状態にあるトレイ１は、手で僅かに押されることでオープンスイッチがＯＦＦとなり、モータが駆動してクローズ動作が開始される。手で押す代わりにボタン操作でクローズ動作を開始する場合もある。
【０００８】
そして、クローズ動作の完了時にはクローズスイッチがＯＮと成り、モータが停止する。上記オープンスイッチ及びクローズスイッチは、カム溝５に沿って左右方向へ移動するラックローディングのリブがスイッチのアームを押すことで動作するように構成している。トレイ１がオープンしてオープンスイッチがＯＮの状態はカム溝５の後方端に設けられているように、一旦、ＯＮになったオープンスイッチはそのまま維持され、トレイ１は装置の開口から引き出される。
【発明の開示】
【発明が解決しようとする課題】
【０００９】
このように、ディスク記録再生装置に装着されたトレイがオープン状態に成り、この状態から引っ張るならば、ツメがストッパーに係止するが、時には外れてしまったり、該ツメに無理が作用して損傷することがある。本発明が解決しようとする課題はこの問題点であり、トレイを出し入れ駆動するモータを利用して引出しを阻止するように制御したディスク記録再生装置を提供する。
【課題を解決するための手段】
【００１０】
本発明のディスク記録再生装置は、トレイがオープン状態に成り、その状態から該トレイを引っ張った場合、オープンスイッチがＯＦＦに成ってモータが駆動し、トレイをクローズする方向へスライドさせるように制御している。そこで、カム溝の後方部での形状を変更して概略台形と成るように形成している。すなわち、トレイのオープン動作が開始してオープンスイッチがＯＦＦの状態にあるストレートのカム溝の後方部に概略台形の湾曲部を連続して形成し、ラックローディングの左右方向への移動を制御する。
【００１１】
概略台形の湾曲部へラックローディングのカムロッドボスが進入する場合、該ラックローディングは一旦外方向へ移動する為にオープンスイッチをＯＮにしてモータの駆動を停止する。すなわち、トレイのオープン状態が完了する。この状態から、トレイを手前へ引っ張るならば、概略台形の湾曲部に沿ってカムロッドボスが移動してラックローディングは元の位置へ戻り、ＯＮ状態のオープンスイッチがＯＦＦと成り、モータが再び駆動してトレイは元の位置へ引き戻される。
【発明の効果】
【００１２】
このように、本発明のディスク記録再生装置ではカム溝後方部を概略台形(山形)としている為に、トレイがオープン状態に成った位置からさらに手前に引くならば、該カム溝に遊嵌しているカムロッドボスと共にラックローディングが移動してオープンスイッチがＯＦＦと成る。従って、モータの回転が始まってトレイを後退させてオープン完了位置まで戻される。すなわち、トレイがフロントパネルから引抜かれることはなく、又ツメがストッパーに当たってトレイの外れを防止する必要もない。勿論、従来通りトレイにはツメを、フロント部にはストッパーを備えているが、該ストッパーに無理な負荷が作用して損傷することはない。
【実施例】
【００１３】
図１は本発明のディスク記録再生装置を示している平面図であり、トレイ１が搬出されたオープン状態を示している。トレイ１の上面には円形凹部の浅い段差２が形成されていて、該円形凹部にディスクが嵌ってセットされる。又下面の一方側にはラック４が前後方向に設けられ、他方側には概略Ｌ形のカム溝５を設けている。そしてラック４にはピニオン７が噛み合い、カム溝５にはカムロッドボス８が遊嵌している。
【００１４】
上記ピニオン７はモータ９にて回転駆動され、該ピニオン７が回転することでラック４及びトレイ１は後退して装置内へ搬入される。該トレイ１は定められた距離を前進・後退動することで開閉することになるが、概略Ｌ形のカム溝５はラック４と平行を成す縦カム溝１０とラック４に対して垂直を成す横カム溝１１、及び縦カム溝１０と横カム溝１１の間に形成されるコーナーカム溝１２から成っている。そして、縦カム溝１０の後方部は湾曲して概略台形を形成して延びている。
【００１５】
従って、トレイ１が搬出されてオープンする為に前進する場合、縦カム溝１０に遊嵌しているカムロッドボス８が湾曲部１４に差し掛かることで該トレイ１は停止する。又トレイ１が搬入されてクローズする為に後退する場合、縦カム溝１０に遊嵌しているカムロッドボス８がコーナーカム溝１２に差し掛かることで該トレイ１は停止する。すなわち、カム溝５に沿ってカムロッドボス８が動くことで、本体と成るラックローディング１３が左右方向に移動し、この動きを検出してトレイ１が停止するように構成されている。
【００１６】
トレイ１はフロントパネルに設けているイジェクトボタンを押すことにより、モータ９が起動してピニオン７が回転し、ラック４を送り出すと共にトレイ１が搬出されてディスク交換位置(オープン状態)にて停止する。逆に、ディスク交換位置にあるトレイ１を装置内のディスク再生位置へ、又はディスク待機位置へ搬入する際には、トレイ先端を押圧して後退させるならば、トレイ１の動きを感知してモータ９が起動し、ピニオン７が回転してラック４を送り込む。
【００１７】
図２にはトレイ１の底面側を示しているように、上記ラック４及びカム溝５は底面に形成され、縦カム溝１０の後方部には概略台形湾曲部１４を形成している。概略台形湾曲部１４はその中央１５にオープンスイッチＯＮの領域が設けられ、その両側は傾斜部を間にしてオープンスイッチＯＦＦの領域と成っている。すなわち、フロントパネルに設けているイジェクトボタンを押すならば、クローズ状態にあるトレイ１は前方へ搬出され、ストレートの縦カム溝１０に遊嵌しているカムロッドボス８は動くことなく定位置に静止している。
【００１８】
そして、トレイ１がオープン状態に成って概略台形湾曲部１４にカムロッドボス８が進入して中央１５に位置するならば、オープンスイッチがＯＮに成ってモータ９は停止する。このオープン状態は、図１に示すようにディスクの交換が出来る位置であり、このオープン位置から何らかの操作ミス又は手違いでトレイ１を引っ張った場合、該トレイ１は元の位置(トレイ交換位置)まで戻るように制御されている。
【００１９】
すなわち、概略台形湾曲部１４の中央１５に位置したカムロッドボス８は、ラックローディング１３を動かしてオープンスイッチが再びＯＦＦとなる。その結果、モータ９が起動してトレイ１を引き戻し、オープン状態の位置すなわちカムロッドボス８が概略台形湾曲部１４の中央１５に位置して停止する。クローズする場合には、トレイ１の先端を押圧することでモータ９が起動して後退し、クローズ状態となる。
【００２０】
図３はトレイ１とラックローディング１３、及びオープンスイッチとクローズスイッチとの関係を示している。
(ａ)はトレイ１がクローズしている場合であり、クローズスイッチがＯＮに成っている。ラックローディング１３にはリブ１６，１７が所定の間隔をおいて設けられ、ラックローディング１３が右側へ移動してリブ１６がスイッチ１８のアーム１９に当たって、該アーム１９を右方向へ倒している。従って、該スイッチ１８に収容されているクローズスイッチがＯＮと成ってモータ９は停止している。
(ｂ)はトレイ１が搬出されている状態で、イジェクトボタンを押すならばモータ９が起動してトレイ１の搬出が開始される。この場合には、スイッチ１８のアーム１９は両リブ１６，１７から離れてクローズスイッチ及びオープンスイッチは共にＯＦＦの状態にある。
(ｃ)はトレイ１が搬出されてオープン状態にある場合を示している。ラックローディング１３が左側へ移動してスイッチ１８のアーム１９にリブ１７が当たって、該アーム１９を左方向へ倒している。この場合、スイッチ１８に収容されているオープンスイッチがＯＮと成り、モータ９は停止する。この位置は、トレイ１がオープン状態に成ってカムロッドボス８が概略台形湾曲部１４の中央１５に位置した場合である。
【００２１】
(ｃ)の状態からトレイ１が引っ張られるならば、ラックローディング１３は右方向へ移動し、リブ１７がアーム１９から離れることでオープンスイッチがＯＦＦと成り、その結果、モータ９が起動する。該モータ９が起動することでトレイ１が引き戻され、ラックローディング１３は再び(ｃ)の位置と成ってモータ９は停止し、トレイ１は静止する。
【００２２】
図４は図３の(ａ)、(ｂ)、(ｃ)に示すスイッチ１８のアーム１９とラックローディング１３のリブ１６，１７の関係を示す拡大図である。ところで、トレイ１がオープン状態に成ってカムロッドボス８概略台形湾曲部１４の中央１５に位置した場合が図３の(ｃ)である。そして、トレイ１を手前に引くならばラックローディング１３は右側へ動いてリブ１７がアーム１９から離れ、オープンスイッチはＯＦＦと成ってモータ９が起動して引き戻されるが、概略台形湾曲部１４の中央１５にて停止する場合に限らず、完全クローズ状態まで後退するように制御することは自由である。
【図面の簡単な説明】
【００２３】
【図１】トレイがオープン状態にあるディスク装置。
【図２】トレイの具体例で裏面側を示している。
【図３】トレイとラックローディング、及びオープンスイッチ、クローズスイッチの関係。
【図４】図３(ａ)、(ｂ)、(ｃ)におけるスイッチとラックローディングの両リブの関係を示す拡大図。
【図５】(ａ)はトレイがオープンしたディスク装置の外観図、(ｂ)はトレイがクローズしたディスク装置の外観図。
【図６】従来のトレイを示す裏面図。
【符号の説明】
【００２４】
１  トレイ
２  段差
３  穴
４  ラック
５  カム溝
６  ツメ
７  ピニオン
８  カムロッドボス
９  モータ
10  縦カム溝
11  横カム溝
12  コーナーカム溝
13  ラックローディング
14  概略台形湾曲部
15  中央
16  リブ
17  リブ
18  スイッチ
19  アーム
【図１】
2005339703.tif 000003
【図２】
2005339703.tif 000004
【図３】
2005339703.tif 000005
【図４】
2005339703.tif 000006
【図５】
2005339703.tif 000007
【図６】
2005339703.tif 000008